(57)【要約】【課題】印刷装置で、特定の中断指示により中断したジョブの実行を迅速に再開することを可能にする技術を提供する。【解決手段】印刷装置は、ジョブの実行中に、当該ジョブの実行を中断すべきことを示す特定の中断指示として、実行中のジブの設定の変更をユーザから受け付けるための指示を受け付けると、当該ジョブの実行を中断する。印刷システムは、ジョブを中断する際にジョブの実行のための準備動作が実行中である場合には、当該準備動作を中断することなく継続するよう、当該準備動作を行っているデバイスを制御する。【選択図】図７
2015168059.tif 000002
【特許請求の範囲】
【請求項１】
実行すべきジョブを受け付けると、前記ジョブで使用されるデバイスの、前記ジョブの実行のための準備動作を開始して、前記ジョブの実行を開始する実行手段と、
前記ジョブの実行中に、前記ジョブの実行を中断すべきことを示す中断指示を受け付ける受付手段と、
前記受付手段によって前記中断指示を受け付けると、前記ジョブの実行を中断する中断手段と、
前記中断手段によって前記ジョブの実行が中断される際に、前記ジョブで使用されるデバイスの前記準備動作が実行中であると、前記準備動作を中断することなく継続するよう前記デバイスを制御する制御手段と
を備えることを特徴とする印刷装置。
【請求項２】
前記中断指示は、前記ジョブの実行が開始された後に、実行中の前記ジョブの設定の変更をユーザから受け付けるために行われる指示であることを特徴とする請求項１に記載の印刷装置。
【請求項３】
前記中断指示は、前記印刷装置の排紙部から印刷処理後のシートを取り出すために行われる指示であることを特徴とする請求項１に記載の印刷装置。
【請求項４】
前記印刷装置には、前記印刷装置から搬送される印刷処理後のシートが積載される積載装置が接続されており、
前記中断指示は、前記積載装置の内部からシートを取り出すために行われる指示であることを特徴とする請求項１に記載の印刷装置。
【請求項５】
前記中断指示は、前記印刷装置における印刷品質の確認のための印刷処理を実行する際に行われる指示であることを特徴とする請求項１に記載の印刷装置。
【請求項６】
前記デバイスは、シートを給紙する給紙部であり、
前記準備動作は、前記ジョブで用いられるシートを前記給紙部が給紙するための準備動作である
ことを特徴とする請求項１から４のいずれか１項に記載の印刷装置。
【請求項７】
前記デバイスは、前記印刷装置で印刷処理が行われたシートに対して後処理を実行する、前記印刷装置に接続された後処理装置であり、
前記準備動作は、シートに対して前記後処理を実行するための準備動作である
ことを特徴とする請求項１から４のいずれか１項に記載の印刷装置。
【請求項８】
前記制御手段は、更に、前記中断手段によって前記ジョブの実行が中断されてから所定の時間が経過すると、実行中の前記準備動作を中断するよう前記デバイスを制御することを特徴とする請求項１から７のいずれか１項に記載の印刷装置。
【請求項９】
前記印刷装置は、前記デバイスとして、前記印刷装置の内部に設けられた、または前記印刷装置に接続された、複数の給紙部を備え、
前記制御手段は、前記中断手段によって前記ジョブの実行が中断される際に、前記ジョブで使用されている給紙部の前記準備動作が実行中であると、前記準備動作を中断することなく継続し、かつ、当該給紙部とは異なる給紙部の前記準備動作を開始するよう、前記複数の給紙部を制御する
ことを特徴とする請求項１から８のいずれか１項に記載の印刷装置。
【請求項１０】
実行すべきジョブを受け付けると、前記ジョブで使用されるデバイスの、前記ジョブの実行のための準備動作を開始して、前記ジョブの実行を開始する実行工程と、
前記ジョブの実行中に、前記ジョブの実行を中断すべきことを示す中断指示を受け付ける受付工程と、
前記受付工程で前記中断指示を受け付けると、前記ジョブの実行を中断する中断工程と、
前記中断工程で前記ジョブの実行が中断される際に、前記ジョブで使用されるデバイスの前記準備動作が実行中であると、前記準備動作を中断することなく継続するよう前記デバイスを制御する制御工程と
を含むことを特徴とする印刷装置の制御方法。
【請求項１１】
請求項１から９のいずれか１項に記載の印刷装置の各手段としてコンピュータを機能させるためのプログラム。
【発明の詳細な説明】
【技術分野】
【０００１】
本発明は、プリンタ、デジタル複合機等の印刷装置及びその制御方法、並びにプログラムに関するものである。
【背景技術】
【０００２】
ＰＯＤ（Print on Demand)のような高生産かつ高効率な印刷処理を行う印刷システムでは、大型の印刷装置を備え、また、種々の給紙装置やシート処理装置が接続される。このような給紙装置やシート処理装置では、生産性の低下につながりうる準備動作に時間が要する場合があるため、生産性をできるだけ高めるための技術が適用されている。例えば、印刷ジョブを受信した場合、当該印刷ジョブを解釈し、いずれのシート処理装置及び給紙装置をいずれのタイミングで処理を実行させるのかを判定する。そして、実際に処理の実行開始前に、使用予定のシート処理装置または給紙装置の準備動作を予め実行するように制御する技術が提案されている（特許文献１参照）。また、給紙装置の準備動作として、給紙装置内のシートにエアを吹き付け、捌かれたシートの最上部のシートから順にシートを搬送する技術が提案されている（特許文献２参照）。従来、このような印刷システムでは、ジョブの実行中にジョブの中断指示を受け付けると、給紙装置（給紙カセット）等の準備動作を停止している。
【０００３】
一方、近年では、設定変更を行うために行う特定の中断指示を受け付ける印刷システムが提案されている。このような印刷システムでは、特定の中断指示を受け付けると、ジョブの実行を中断（一時停止）し、中断している間にユーザが、ＰＣ等からそのジョブの設定を一部変更すると、変更後の設定に基づいてジョブを再開する。この特定の中断指示が、従来の中断指示と異なる点は、既に実行を開始しているジョブの設定を変更できる点である。
【先行技術文献】
【特許文献】
【０００４】
【特許文献１】特開２００６−０３５７５１号公報
【特許文献２】特開２００８−２２２３９９号公報
【発明の概要】
【発明が解決しようとする課題】
【０００５】
しかし、上述のような中断指示では、ジョブの実行開始後に当該ジョブの設定を変更可能であるものの、ジョブの実行だけでなく、その準備動作も停止する。このため、設定の変更が行われた後、ジョブの実行を再開する際に、再び準備動作を実行する必要があり、ジョブの実行を実際に再開するまでに時間がかかる問題があった。
【０００６】
本発明は、上述の問題に鑑みてなされたものである。本発明は、印刷装置で、特定の中断指示により中断したジョブの実行を迅速に再開することを可能にする技術を提供する。
【課題を解決するための手段】
【０００７】
本発明は、例えば、印刷装置として実現できる。本発明の一態様に係る印刷装置は、実行すべきジョブを受け付けると、前記ジョブで使用されるデバイスの、前記ジョブの実行のための準備動作を開始して、前記ジョブの実行を開始する実行手段と、前記ジョブの実行中に、前記ジョブの実行を中断すべきことを示す中断指示を受け付ける受付手段と、前記受付手段によって前記中断指示を受け付けると、前記ジョブの実行を中断する中断手段と、前記中断手段によって前記ジョブの実行が中断される際に、前記ジョブで使用されるデバイスの前記準備動作が実行中であると、前記準備動作を中断することなく継続するよう前記デバイスを制御する制御手段とを備えることを特徴とする。
【発明の効果】
【０００８】
本発明によれば、印刷装置で、特定の中断指示により中断したジョブの実行を迅速に再開することを可能にする技術を提供できる。
【図面の簡単な説明】
【０００９】
【図１】印刷システム１００を含むＰＯＤシステム１０００の構成例を示す図。
【図２】印刷システム１００のハードウェア構成例を示すブロック図。
【図３】印刷システム１００における印刷装置１５０と、印刷装置１５０に接続されたシート処理装置２００及び給紙装置３００の断面図。
【図４】操作部２０４の構成例を示す図。
【図５】第１及び第２の実施形態に係る、印刷システム１００が印刷ジョブを受信した際に実行する処理の手順を示すフローチャート。
【図６】第１及び第２の実施形態に係る、印刷システム１００によって実行される給紙処理の手順を示すフローチャート。
【図７】第１の実施形態に係る、印刷システム１００によって実行される給紙準備停止処理の手順を示すフローチャート。
【図８】第１及び第２の実施形態に係る、実行中の印刷ジョブの設定変更が行われる際に印刷システム１００によって実行される処理の手順を示すフローチャート。
【図９】ジョブ状況画面の一例を示す図。
【図１０】ページ設定変更の受付画面の一例を示す図。
【図１１】第２の実施形態に係る、印刷システム１００によって実行される給紙準備停止処理の手順を示すフローチャート。
【発明を実施するための形態】
【００１０】
以下、本発明を実施するための形態について図面を用いて説明する。なお、以下の実施形態は特許請求の範囲に係る発明を限定するものでなく、また実施形態で説明されている特徴の組み合わせの全てが発明の解決手段に必須のものとは限らない。
【００１１】
＜システム構成＞
図１は、印刷システム１００を含むＰＯＤシステム１０００の構成例を示す図である。ＰＯＤシステム１０００は、印刷システム１００、サーバＰＣ（パーソナルコンピュータ）１０３及びクライアントＰＣ１０４を備える。ＰＯＤシステム１０００は、更に、スキャナ１０２、紙折り機１０７、くるみ製本機１０８、断裁機１０９及び中綴じ製本機１１０を備える。このように、ＰＯＤシステム１０００は多数の装置で構成される。なお、本明細書で説明する実施形態において、印刷システム１００は、本発明に係る印刷装置の一例である。
【００１２】
印刷システム１００は、印刷装置本体（以下、単に「印刷装置」と称する。）１５０、シート処理装置（後処理装置）２００及び給紙装置３００を備える。印刷装置１５０は、コピー機能及びプリント機能等の複数の機能を備える複合機（ＭＦＰ：Multi Function Peripheral）である。ただし、印刷装置１５０は、例えばコピー機能またはプリント機能のみを備える単一機能型の印刷装置であってもよい。
【００１３】
シート処理装置２００は、印刷装置１５０によって印刷処理が行われたシートに対するシート処理を実行可能な装置である。ただし、紙折り機１０７、くるみ製本機１０８、断裁機１０９及び中綴じ製本機１１０も、印刷装置１５０によって印刷処理が行われたシートに対するシート処理を実行可能な装置であり、シート処理装置の一種である。
【００１４】
紙折り機１０７は、印刷装置１５０で印刷処理が行われたシートの折り処理を実行する。断裁機１０９は、複数枚のシートで構成されるシート束ごとに、印刷装置１５０で印刷処理が行われたシートの断裁処理を実行する。中綴じ製本機１１０は、印刷装置１５０で印刷処理が行われたシートの中綴じ製本処理を実行する。くるみ製本機１０８は、印刷装置１５０で印刷処理が行われたシートのくるみ製本処理を実行する。
【００１５】
ただし、紙折り機１０７、くるみ製本機１０８、断裁機１０９及び中綴じ製本機１１０で各シート処理を実行するためには、印刷装置１５０によって印刷処理が行われたシートを、オペレータが各装置に直接シートをセットする必要がある。即ち、オペレータは、印刷装置１５０の排紙部からシートを取り出して、シート処理を行う装置に当該シートを手作業でセットする必要がある。一方、シート処理装置２００は、印刷装置１５０に直接接続されているため、印刷装置１５０からシートが直接供給されうる。したがって、シート処理装置２００は、オペレータによる上記の手作業を必要となることなく、印刷装置１５０による印刷処理が行われたシートに対してシート処理を実行できる。
【００１６】
給紙装置３００は、大量のシートを収納可能である。給紙装置３００は、印刷装置１５０に接続されており、印刷装置１５０における印刷処理のために、印刷装置１５０へシートを給紙可能である。
【００１７】
図１に示すように、ＰＯＤシステム１０００において、中綴じ製本機１１０以外の各装置は、ネットワーク１０１に接続されているため、ネットワーク１０１に接続された他の装置とデータ通信が可能である。サーバＰＣ１０３及びクライアントＰＣ１０４は、印刷処理の実行要求を含む印刷ジョブを生成し、印刷装置１５０（印刷システム１００）に対して送信可能である。サーバＰＣ１０３は、ＰＯＤシステム１０００において処理すべきジョブを管理しうる。例えば、サーバＰＣ１０３は、複数の処理工程から成る一連のワークフローの各工程を管理しうる。また、サーバＰＣ１０３は、オペレータから受け付けたジョブに基づいて、ＰＯＤシステム１０００において実行すべき後処理の設定を決定し、当該設定に従った後処理を各シート処理装置（後処理装置）に実行させる。
【００１８】
＜印刷システム１００のハードウェア構成＞
図２は、印刷システム１００のハードウェア構成例を示すブロック図である。図２に示すように、印刷システム１００は、印刷装置１５０、シート処理装置２００及び給紙装置３００を備える。シート処理装置２００は、印刷装置１５０に対してオプションとして着脱可能なインラインフィニッシャである。給紙装置３００も、印刷装置１５０に対してオプションとして着脱可能である。印刷装置１５０には、それぞれ特定の後処理（シート処理）を実行可能な、任意の数のシート処理装置２００を接続可能である。印刷システム１００は、本発明の印刷装置の一例である。なお、シート処理装置２００及び給紙装置３００を接続せずに、印刷装置１５０のみで印刷システム１００を構成することも可能である。この場合、印刷装置１５０が本発明の印刷装置の一例となりうる。
【００１９】
（印刷装置１５０）
印刷装置１５０は、ＣＰＵを含む制御部２０５を備える。印刷装置１５０は、更に、制御部２０５に接続された、スキャナ部２０１、外部インタフェース（Ｉ／Ｆ）２０２、プリンタ部２０３、操作部２０４、ＲＯＭ２０７、ＲＡＭ２０８、ハードディスクドライブ（ＨＤＤ）２０９及び圧縮伸長部２１０を備える。
【００２０】
制御部２０５は、印刷システム１００が有する各ユニット（装置）の動作を制御する。即ち、制御部２０５は、印刷装置１５０だけでなく、印刷装置１５０に接続されたシート処理装置２００及び給紙装置３００の動作も制御する。
【００２１】
ＲＯＭ２０７は、読み出し専用のメモリである。ＲＯＭ２０７には、ブートプログラム、フォント情報、制御部２０５によって実行される各種コンピュータプログラム等が格納される。例えば、ＲＯＭ２０７には、後述するフローチャートの各種処理を制御部２０５に実行させるためのプログラム、及び各種設定画面を操作部２０４に表示するために必要な表示制御プログラムが格納される。ＲＯＭ２０７には、サーバＰＣ１０３、クライアントＰＣ１０４等から受信したＰＤＬ（ページ記述言語）コードデータを解釈し、ラスタイメージデータ（ビットマップ画像データ）に展開する動作を実行するためのプログラムも格納される。
【００２２】
ＲＡＭ２０８は、読み出し及び書き込み可能なメモリである。ＲＡＭ２０８には、スキャナ部２０１または外部Ｉ／Ｆ２０２から送られてきた画像データが格納される。また、ＲＡＭ２０８は、制御部２０５のワークエリアとして用いられる。制御部（ＣＰＵ）２０５は、ＲＯＭ２０７またはＨＤＤ２０９に格納されたプログラム、設定情報等をＲＡＭ２０８に読み出し、当該プログラムを実行することで、印刷システム１００が有する各ユニット（装置）の動作を制御する。ＨＤＤ２０９は、スキャナ部２０１または外部Ｉ／Ｆ２０２から入力された画像データ、及び処理対象となるジョブ（印刷ジョブ等）を記憶するための大容量の記憶装置である。
【００２３】
スキャナ部２０１は、原稿上の画像を読み取って画像データを生成し、当該画像データを制御部２０５に出力する。外部Ｉ／Ｆ２０２は、ネットワーク１０１に接続されており、ネットワーク１０１を介して通信可能な外部装置（サーバＰＣ１０３、クライアントＰＣ１０４等）との間でデータの送受信を行う。プリンタ部２０３は、制御部２０５から入力される画像データに基づく画像をシート上に印刷する。操作部２０４は、図４を参照して後述するように、印刷システム１００のユーザインタフェース（ＵＩ）として機能する。
【００２４】
制御部２０５は、スキャナ部２０１または外部Ｉ／Ｆ部２０２を介して入力される画像データをＨＤＤ２０９に格納し、また、外部Ｉ／Ｆ２０２を介して外部装置（サーバＰＣ１０３等）へ画像データを送信する。制御部２０５は、ＨＤＤ２０９に格納された画像データに基づいて、プリンタ部２０３によってシートに印刷させる。また、制御部２０５は、印刷システム１００において実行すべきジョブ（印刷ジョブ等）を、操作部２０４を介したユーザからの指示に基づいて生成し、または、外部Ｉ／Ｆ２０２を介して外部装置（サーバＰＣ１０３等）から受信する。制御部２０５は、生成または受信したジョブに従った処理を実行するよう、印刷システム１００が有する各デバイス（装置）の動作を制御する。
【００２５】
圧縮伸長部２１０は、ＪＢＩＧ、ＪＰＥＧ等といった各種圧縮方式によって、ＲＡＭ２０８またはＨＤＤ２０９に格納されている画像データについての圧縮及び伸張処理を実行する。
【００２６】
シート処理装置２００は、印刷装置１５０と通信可能に接続され、印刷装置１５０からの指示に従って、後述するようなシート処理を実行可能である。給紙装置３００は、印刷装置１５０と通信可能に接続され、印刷装置１５０からの指示に従って、印刷装置１５０における印刷処理に用いられるシートを印刷装置１５０に対して給紙可能である。
【００２７】
次に、図３は、印刷システム１００における印刷装置１５０と、印刷装置１５０に接続されたシート処理装置２００及び給紙装置３００の断面図である。印刷システム１００は、シート処理装置２００として、糊付け製本機２００ａ、大容量スタッカ２００ｂ及び中綴じ製本機２００ｃを備える。なお、ここでは、印刷システム１００がコピージョブを実行する際の動作について一例として説明しながら印刷システム１００の構成例を説明する。
【００２８】
スキャナ部２０１に設けられた自動原稿搬送装置（ＡＤＦ）３０１は、ユーザにより原稿トレイにセットされた複数枚の原稿について、１枚目から順に分離して原稿台ガラス上へ搬送する。読取部３０２は、原稿台ガラス上に搬送された原稿の画像をＣＣＤによって読み取り、当該原稿の画像を画像データに変換する。変換された画像データは、制御部２０５によってＲＡＭ２０８やＨＤＤ２０９等のメモリに格納される。
【００２９】
印刷装置１５０は、複数の感光体（感光ドラム）を備えたタンデムタイプのカラープリンタであり、内部に備える給紙部として、給紙カセット３１７を備える。また、印刷装置１５０には、上述のように、大量のシートを収納可能な給紙装置３００も給紙部として接続されている。給紙カセット３１７及び給紙装置３００は、印刷装置１５０にシートを給紙する給紙部として機能する。
【００３０】
ここで、給紙装置３００は、給紙デッキ３１８内に収納されたシートを１枚ずつに分離するブロワー３１９と、分離されたシートを給紙する給紙ローラ３２０と、シートの紙面高さを適正な位置に調整する給紙リフター３２１とを備える。給紙装置３００は、ヒータ（図示せず）と、当該ヒータによって暖められた空気を給紙デッキ３１８内に送り込むブロワー３１９とによって、給紙装置３００内の温度を調整する。温度調整制御は、給紙されるシートの種類によって異なる。例えば、坪量が６４ｇ／ｍ2〜１０５ｇ／ｍ2程度の普通紙を給紙する場合には、温度調整が行われない一方、坪量が１０５ｇ／ｍ2を超える厚紙を給紙する場合には、温度調整が行われる。給紙装置３００は、ヒータが所定の温度に達していない場合、シートの搬送を開始することができないため、ヒータが所定の温度に達した後に、シートの搬送を開始する。また、給紙デッキ３１８は、給紙デッキ３１８内のシートにエアを吹き付け、捌かれたシートの最上部のシートから順にシートを搬送する。
【００３１】
印刷装置１５０は、いずれかの給紙部から給紙されたシートを、レジストローラ３０６の位置まで搬送し、中間転写ベルト３０５との同期のためにそこで搬送を一旦停止する。また、レジストローラ３０６の位置に転写前のシートが存在している間に、次のページの印刷のためのシートを、給紙カセット３１７または給紙装置３００内の給紙デッキ３１８から給紙することが可能である。このように、１ページの印刷の実行中に次のページの印刷用のシートの給紙を行うことで、複数枚のシートの搬送間隔を短くすることができ、印刷の生産性を高めることができる。
【００３２】
ＲＡＭ２０８またはＨＤＤ２０９に一時的に格納された画像データは、プリンタ部２０３へ転送され、レーザ記録部（図示せず）でイエロー（Ｙ）、マゼンタ（Ｍ）、シアン（Ｃ）及びブラック（Ｋ）の４色のそれぞれのレーザ光に変換される。当該レーザ光は、各色に対応する感光体に照射され、感光体上に各色に対応する静電潜像が形成される。更に、トナーカートリッジから供給される各色のトナーによって各静電潜像が現像されることで、感光体上にトナー像が形成される。感光体上に形成されたトナー像は、その後、中間転写ベルト３０５に１次転写される。
【００３３】
中間転写ベルト３０５は、図３において時計回りの方向に一定速度で回転する。中間転写ベルト３０５の回転により、当該ベルト上のトナー像が所定の位置まで達すると、レジストローラ３０６の位置で待機中のシートの搬送が開始される。なお、所定の位置とは、中間転写ベルト３０５上に転写されたトナー像の、搬送方向における先端が、二次転写位置３１６に到達したときに、レジストローラ３０６の位置から搬送されるシートの先端を二次転写位置３１６に到達させることが可能な位置である。このようにして、二次転写位置３１６において、中間転写ベルト３０５上のトナー像がシートへ転写される。トナー像が転写されたシートは、ベルト３０７によって定着器３０８へ搬送される。定着器３０８によってシートに加えられる圧力及び熱により、トナーがシートに定着する。定着器３０８により定着後のシートは、シート搬送路を搬送され、印刷装置１５０から排紙される。
【００３４】
排紙フラッパ３０９は、揺動軸を中心に揺動可能に構成され、シートの搬送方向を規定する。排紙フラッパ３０９が図３において時計回りの方向に揺動し、その位置で固定される。これにより、定着器３０８から排出されたシートは、排紙ローラ３１０の方向へ搬送される。その後、当該シートは、排紙ローラ３１０によって、シート処理装置２００の１つである糊付け製本機２００ａの内部へ搬送される。このようにして、シートに対して片面印刷が実行される。
【００３５】
一方、シートに対して両面印刷を実行する場合、排紙フラッパ３０９が図３において反時計回りの方向に揺動し、その位置で固定される。これにより、定着器３０８から排出されたシートは、下方向に搬送され、両面搬送部へ送り込まれる。両面搬送部は、反転フラッパ３１１、搬送ローラ３１２、反転ガイド３１３及び両面トレイ３１４を備える。反転フラッパ３１１は、揺動軸を中心に揺動し、シートの搬送方向を規定する。両面印刷を行う場合、制御部２０５は、反転フラッパ３１１を図３において反時計回りの方向に揺動させることで、シートの第１面に画像が印刷されたシートを、搬送ローラ３１２を介して反転ガイド３１３へ送り込むよう制御する。その後、制御部２０５は、シートの後端が反転ガイドの入り口に設けられた反転ローラに狭持された状態で当該反転ローラを一旦停止させ、引き続き、反転フラッパ３１１を図３において時計回りの方向に揺動させ、反転ローラを逆方向に回転させる。これにより、制御部２０５は、反転ローラに狭持された状態にあるシートをスイッチバックさせ、シートの後端と先端とが入れ替わった状態で当該シートを両面トレイ３１４へ導くよう制御する。
【００３６】
両面トレイ３１４に導かれたシートは、両面トレイ３１４において一時的に保持され、その後、再給紙ローラ３１５によって再びレジストローラ３０６の方向へ搬送される。その際、シートは、第１面に対する転写プロセスでトナーが転写された面とは反対側の第２面が中間転写ベルト３０５と対向した状態となっている。その後、シートの第１面に対する上述の転写プロセスと同様に、当該シートの第２面に対する転写プロセスが行われ、当該シートの第２面にトナー像（画像）が形成される。更に、シートの第２面に形成されたトナー像（画像）は、定着器３０８によって当該シートに定着する。定着器３０８による定着後のシートは、排紙ローラ３１０によって、糊付け製本機２００ａの内部へ搬送される。このようにして、両面印刷が実行される。
【００３７】
印刷装置１５０で片面または両面に画像が印刷されたシートは、操作部２０４を介して指示された、コピージョブに含まれる後処理の設定に従って、糊付け製本機２００ａ、大容量スタッカ２００ｂ及び中綴じ製本機２００ｃのいずれかまで搬送される。
【００３８】
コピージョブに、糊付け製本処理を実行する設定が後処理の設定として含まれている場合、印刷装置１５０で画像が印刷されたシートは、糊付け製本機２００ａに搬送され、製本処理が実行される。製本処理により得られた印刷物（製本物）は、製本物排紙部３３１に積載される。糊付け製本機２００ａは、印刷装置１５０で画像の印刷された複数枚のシートを、必要に応じてインサータ３３２から給紙したシートでくるむことで、製本処理を実行する。
【００３９】
コピージョブに、大量積載処理を実行する設定が後処理の設定として含まれている場合、印刷装置１５０で画像が印刷されたシートは、糊付け製本機２００ａのシート搬送路３３０を介して、大容量スタッカ２００ｂに搬送される。大容量スタッカ２００ｂは、シート搬送路３３０を介して受け取ったシートを、エスケープトレイ３３５または積載部３３４に排紙することで、そこに積載する。
【００４０】
コピージョブに、後処理の設定が含まれていない場合、印刷装置１５０で画像が印刷されたシートは、糊付け製本機２００ａのシート搬送路３３０と大容量スタッカ２００ｂのシート搬送路３３３とを介して中綴じ製本機２００ｃに搬送される。中綴じ製本機２００ｃは、受け取ったシートを、シート搬送路３３６を介して排紙部３３７に排紙する。
【００４１】
コピージョブに、ステイプル処理を実行する設定が後処理の設定として含まれている場合、中綴じ製本機２００ｃは、受け取ったシートをシート搬送路３３６を介して中間トレイに積載される。その後、中綴じ製本機２００ｃは、ステイプルされるべき１束分のシートが中間トレイに積載されると、当該１束分のシートに対してステイプルを行い、ステイプル後のシート束を排紙部３３８に排紙する。また、コピージョブに、中綴じ製本処理を実行する設定が後処理の設定として含まれている場合、中綴じ製本機２００ｃは、受け取ったシートに対して中綴じ製本処理を実行し、得られた製本物（印刷物）を排紙部３３９に排出する。
【００４２】
なお、印刷システム１００は、印刷装置１５０、糊付け製本機２００ａ、大容量スタッカ２００ｂ及び中綴じ製本機２００ｃがそれぞれ備えるシート搬送路に、シート検知センサＡ〜Ｑを備える。シート検知センサＡ〜Ｑは、図３に示すように、シート搬送路上で、各装置の出入口、分岐点、合流点等に設けられる。制御部２０５は、シート検知センサＡ〜Ｑから信号を受信することによって、シート搬送路を介して搬送されるシートの有無及びシートの位置を特定する。
【００４３】
例えば、特定のシート検知センサからの信号の送信が所定の時間以上継続した場合、制御部２０５は、当該特定のシート検知センサに対応する位置で、シートの滞留ジャム（詰まり）が発生していると判断する。また、特定のシート検知センサの位置をシートが通過した後、所定の時間以上、次のシート検知センサから信号が受信されない場合、制御部２０５は、それらのシート検知センサの間でシートの遅延ジャム（詰まり）が発生していると判断する。
【００４４】
制御部２０５は、印刷システム１００のシート搬送路でシートのジャム（詰まり）が発生した場合に、印刷を中断し、シート検知センサからの信号に従って、除去されるべきシートの位置及び除去手順を、操作部２０４にガイダンスとして表示する。それによりユーザは、印刷システム１００の内部のどこに、除去されるべきシートが存在するのかを把握できるとともに、ガイダンスに従って、シート搬送路からシートを除去できる。全てのシートが除去された後、操作部２０４を介してユーザによって印刷の再開が指示されると、制御部２０５は、印刷を再開する。
【００４５】
なお、本実施形態では、印刷装置１５０が４Ｄ（ドラム）タイプのカラーＭＦＰである場合について説明しているが、印刷装置１５０の構成はこれに限らず、白黒ＭＦＰでも、１Ｄ（ドラム）タイプのカラーＭＦＰでもよい。また、上述の説明ではコピージョブを例に印刷システム１００の動作及び構成を説明しているが、プリントジョブの場合、一部の動作を除き、印刷システム１００は同様の動作を行う。即ち、印刷システム１００は、スキャナ部２０１で生成される画像データに代えて、外部Ｉ／Ｆ２０２を介して外部装置から受信される印刷データ（画像データ）を用いて、印刷動作を実行しうる。
【００４６】
＜操作部２０４の構成＞
図４は、操作部２０４の構成例を示す図である。操作部２０４は、液晶表示部（タッチパネル部）４０１及びキー入力部４０２を備え、それらを介してユーザからの指示を受け付ける。また、操作部２０４は、タッチパネル部４０１に各種の画面を表示する。操作部２０４は、このようにして印刷システム１００（印刷装置１５０）のユーザインタフェース（ＵＩ）として機能する。タッチパネル部４０１は、液晶表示部（ＬＣＤ）と、その上に貼られたタッチパネルとを備える。タッチパネル部４０１は、表示したソフトキー（表示キー）によるユーザ操作を受け付け可能である。一方、キー入力部４０２は、ハードキーによるユーザ操作を受け付け可能である。
【００４７】
［第１の実施形態］
次に、図１〜図４に示す印刷システム１００において実行される、本発明の第１の実施形態に係る処理について説明する。本実施形態では、印刷システム１００（印刷装置１５０）は、ジョブの実行中に、当該ジョブの実行を中断すべきことを示す特定の中断指示を受け付けると、当該ジョブの実行を中断する。印刷システム１００は、ジョブを中断する際にジョブの実行のための準備動作が実行中である場合には、当該準備動作を中断することなく継続するよう、当該準備動作を行っているデバイスを制御する。このような特定の中断指示は、例えば、実行中のジョブの設定の変更をユーザから受け付けるための指示である。これにより、ジョブの実行の中断後、再びジョブの実行を再開する際には、準備動作が行われた状態にあるため、ジョブの実行を迅速に再開することが可能になる。
【００４８】
以下では、図５〜図１０を参照して、本実施形態に係る上述の処理を印刷システム１００で実現するための、印刷システム１００の具体的な動作例について説明する。図５〜図８は、制御部２０５（ＣＰＵ）によって実行される処理の手順を示すフローチャートである。図５〜図８の各ステップの処理は、ＲＯＭ２０７またはＨＤＤ２０９に格納された制御プログラムを制御部２０５がＲＡＭ２０８に読み出して実行することによって、印刷システム１００において実現される。なお、図５〜図８に示すフローチャートに従った各処理手順は、印刷システム１００において順に実行されてもよいし、２つ以上が同時に実行されてもよい。また、本実施形態では、印刷システム１００が実行するジョブとして、印刷ジョブを例に説明するが、本実施形態は他の種類のジョブ（例えば、コピージョブ等）にも適用可能である。
【００４９】
（印刷ジョブの受信時の処理）
まず、図５を参照して、印刷システム１００が印刷ジョブを受信した際に実行する制御について説明する。Ｓ５０１で、制御部２０５は、実行すべき印刷ジョブを受信したか否かを判定し、印刷ジョブを受信したと判定すると、処理をＳ５０２に進める。Ｓ５０２以降で、制御部２０５は、印刷ジョブで使用されるデバイスの、当該ジョブの実行のための準備動作を開始して、更に当該印刷ジョブの実行を開始する。例えば、制御部２０５は、シートを給紙する給紙部（給紙カセット３１７または給紙デッキ３１８）における、シートの給紙のための準備動作を開始する。また、制御部２０５は、印刷装置１５０で印刷処理が行われたシートに対して後処理を実行する後処理装置（糊付け製本機２００ａ、大容量スタッカ２００ｂまたは中綴じ製本機２００ｃ）における、後処理を実行するための準備動作を開始する。なお、本実施形態では、これらの後処理装置は印刷装置１５０の排紙部として機能する。
【００５０】
具体的には、Ｓ５０２で、制御部２０５は、受信した印刷ジョブの解釈を開始し、当該印刷ジョブに含まれる各ページの設定について解釈を実行する。更に、Ｓ５０３で、制御部２０５は、解釈を行ったページの処理に使用する給紙部、排紙部及び印刷装置１５０等のデバイスの情報と、当該ページの処理に使用するシートの情報とを設定情報として取得する。本実施形態では、給紙部は、例えば給紙カセット３１７または給紙デッキ３１８に相当し、排紙部は、シート処理装置２００である、糊付け製本機２００ａ、大容量スタッカ２００ｂ及び中綴じ製本機２００ｃのいずれかに相当する。なお、大容量スタッカ２００ｂは、印刷装置１５０から搬送される印刷処理後のシートが積載される積載装置の一例である。
【００５１】
次に、Ｓ５０４で、制御部２０５は、ＲＡＭ２０８に確保された給紙予約キューを確認する。給紙予約キューには、印刷用のシートが給紙されるのを待っている（予約している）状態にあるページに関する情報（ページ情報）が保存されている。なお、ページ情報には、Ｓ５０３で取得された設定情報が含まれる。制御部２０５は、給紙予約キューにページ情報が保存されているページ数が所定数以上であるか否かを判定する。制御部２０５は、当該ページ数が、所定数未満であると判定した場合にはＳ５０５へ処理を進め、所定数以上であると判定した場合にはＳ５０９へ処理を進める。なお、Ｓ５０４における比較に用いられるページ数（所定数）は、印刷装置１５０の印刷処理スピード、ＲＡＭ２０８の記憶容量、並びに給紙部及び排紙部の準備動作に要する時間等に基づいて、予め定められる。
【００５２】
例えば、印刷装置１５０の印刷処理スピードが８０ｐｐｍであり、給紙装置３００（給紙デッキ３１８）によるシートの給紙のための準備動作（給紙準備）として、温度調整に要する時間が１５秒である場合を想定する。この場合、印刷処理の実行中に給紙装置３００の給紙準備を開始すると、給紙準備を開始してから給紙準備が完了するまでの間に、（８０ｐｐｍに対して１５秒間に）２０枚のシートに対する印刷処理を実行できる。このため、少なくとも２０枚分のシートの給紙予約を行っておけばよい。これにより、使用する給紙部が印刷処理の実行中に変わる設定が行われていたとしても、給紙部の切り替えに伴って印刷処理を中断する必要がなくなり、継続的な印刷処理が可能になる。例えば、１〜２０番目のページと２１番目のページとで異なる給紙部を使用する印刷ジョブを実行する場合、２０番目のページについて給紙予約が行われ、給紙準備が開始されるタイミングは、１番目のページについての給紙の開始後となる。その結果、２１番目のページについて印刷処理を実行する際（即ち、１５秒後）には、既に当該ページの印刷処理に用いるシートの給紙準備が完了していることになる。したがって、この場合、上述の所定数を２０ページに設定すればよい。
【００５３】
また、例えば、シートに対する後処理を行う後処理装置として糊付け製本機２００ｂを使用し、かつ、当該後処理を実行するための準備動作（糊の溶解処理）に要する時間が１分である場合を想定する。この場合、給紙装置３００の給紙準備に要する時間よりも、糊付け製本機２００ｂの準備に要する時間が長いため、糊付け製本機２００ｂの準備に要する時間に合わせて、給紙予約を行っておくべきシートの枚数を決定すればよい。即ち、印刷装置１５０のプリント処理スピードが８０ｐｐｍである場合、少なくとも８０枚（６０秒）分の給紙予約を行っておけばよい。これにより、給紙予約とともに糊付け製本機２００ｂの準備を開始すれば、給紙準備及び糊付け製本機の準備によって印刷処理を中断する必要がなくなり、継続的な印刷処理が可能になる。したがって、この場合、上述の所定数を８０ページに設定すればよい。
【００５４】
Ｓ５０４からＳ５０９へ処理を進めると、制御部２０５は、処理対象のページのページ情報（Ｓ５０３で取得した設定情報を含む）を、ＨＤＤ２０９に確保された印刷開始待ちキューに保存した後、処理をＳ５１０へ進める。
【００５５】
一方、Ｓ５０４からＳ５０５へ処理を進めると、制御部２０５は、処理対象のページのページ情報（Ｓ５０３で取得した設定情報を含む）を、給紙予約キューに保存する。その後、Ｓ５０６で、制御部２０５は、現在の各デバイス（給紙部、排紙部及び印刷装置１５０）の状態を確認し、処理をＳ５０７へ進める。
【００５６】
Ｓ５０７で、制御部２０５は、既に給紙予約キューに保存されているページ情報（設定情報）に、新たに給紙予約キューに保存されたページ情報（設定情報）と一致するものがあるか否かを判定する。制御部２０５は、一致するページ情報が存在すると判定した場合、処理をＳ５０８に進め、一致するページ情報が存在しないと判定した場合、処理をＳ５１０に進める。Ｓ５０８で、制御部２０５は、新たに給紙予約キューに保存されたページ情報に基づいて、当該ページ情報に対応するページの処理に使用するデバイス（給紙部、排紙部及び印刷装置１５０）における給紙のための準備動作を開始し、処理をＳ５１０に進める。
【００５７】
Ｓ５１０で、制御部２０５は、Ｓ５０１で受信した印刷ジョブに含まれる全ページの解釈が終了したか否かを判定する。制御部２０５は、全ページの解釈が終了していないと判定した場合、処理をＳ５０２に戻し、残りのページの解釈を継続する。一方、制御部２０５は、全ページの解釈処理が終了したと判定した場合、処理をＳ５０１に戻し、新たな印刷ジョブを受信するまで待機する。
【００５８】
（給紙処理）
次に、図６を参照して、印刷システム１００によって実行される給紙処理の手順について説明する。なお、上述したように、図６に示す処理手順は、図５に示す処理手順と並列に実行可能である。
【００５９】
まず、Ｓ６０１で、制御部２０５は、ＲＡＭ２０８に確保されている給紙予約キューにページ情報が存在するか否かを判定することにより、シートの給紙待ちの状態にあるページが存在するか否かを判定する。制御部２０５は、給紙予約キューにページ情報が存在しないと判定した場合、Ｓ６０１の判定処理を繰り返し、存在すると判定した場合、処理をＳ６０２に進める。
【００６０】
Ｓ６０２で、制御部２０５は、給紙予約キュー内の先頭のページ情報に対応するページの処理に使用するデバイス（給紙部、排紙部及び印刷装置１５０）の状態を確認し、各デバイスにおいて給紙のための準備が完了しているか否かを判定する。制御部２０５は、使用する全デバイスの準備が完了していると判定した場合、処理をＳ６０５に進め、使用するデバイスのうちで少なくとも１つのデバイスで準備が完了していないと判定した場合、処理をＳ６０３に進める。
【００６１】
Ｓ６０３で、制御部２０５は、給紙予約キュー内の先頭のページ情報（設定情報）に対応するデバイス（給紙部、排紙部及び印刷装置１５０）の準備動作が開始されているか否かを判定する。制御部２０５は、デバイスの準備動作が開始されていないと判定した場合にはＳ６０４へ、使用予定の全デバイスの準備動作が開始されていると判定した場合にはＳ６０２へ処理を戻し、準備が完了するまで待機する。Ｓ６０４で、制御部２０５は、給紙予約キュー内の先頭のページ情報（設定情報）に対応するデバイスの準備動作を開始して、処理をＳ６０２に戻し、準備が完了するまで待機する。
【００６２】
Ｓ６０２からＳ６０５へ処理を進めると、制御部２０５は、給紙予約キュー内の先頭のページ情報（設定情報）に対応する給紙部からのシートの給紙を開始して、処理をＳ６０６に進める。Ｓ６０６で、制御部２０５は、給紙部からの給紙を開始したシートに対応するページ情報を、給紙予約キューから削除して、処理をＳ６０７に進める。
【００６３】
Ｓ６０７で、制御部２０５は、給紙のための準備動作を停止する処理（給紙準備停止処理）を、（図８を用いて後述する手順により）実行する。その後、Ｓ６０８で、制御部２０５は、制御部２０５は、印刷開始待ちキューを確認し、印刷開始待ちキュー内にページ情報が存在するか否か（即ち、給紙予約が行われるのを待っているページが存在するか否か）を判定する。制御部２０５は、印刷開始待ちキュー内にページ情報が存在しないと判定した場合、処理をＳ６０１に戻し、存在すると判定した場合、処理をＳ６０９に進める。Ｓ６０９で、制御部２０５は、印刷開始待ちキュー内の先頭のページ情報を給紙予約キューに移動させる。その後、制御部２０５は、処理をＳ６０２に戻し、給紙のための準備動作を継続する。
【００６４】
（給紙準備停止処理）
次に、図７を参照して、印刷システム１００によって実行される給紙準備停止処理について説明する。まず、Ｓ７０１で、制御部２０５は、現在の各デバイス（給紙部、排紙部及び印刷装置１５０）の状態を確認する。次に、Ｓ７０２で、制御部２０５は、給紙予約キュー内のページ情報を取得し、処理をＳ７０３に進める。
【００６５】
Ｓ７０３で、制御部２０５は、給紙予約キュー内に存在するページ情報に対応していない（即ち、使用予定のない）デバイス（給紙部、排紙部及び印刷装置１５０）が給紙のための準備動作中であるか否かを判定する。制御部２０５は、使用予定のない給紙部が給紙準備動作中ではないと判定した場合、処理を終了し、準備動作中である（即ち、準備動作を継続している）と判定した場合、処理をＳ７０４に進める。
【００６６】
Ｓ７０４で、制御部２０５は、ＲＡＭ２０８に保持されている一時中断中フラグを確認し、一時中断中フラグがＯＮに設定されているか否かを判定する。制御部２０５は、一時中断中フラグがＯＮに設定されていると判定した場合、処理を終了し、ＯＮに設定されていない（即ち、ＯＦＦに設定されている）と判定した場合、処理をＳ７０５に進める。Ｓ７０５で、制御部２０５は、準備動作中のデバイス（給紙部、排紙部及び印刷装置１５０）で行われている準備動作を停止し、処理を終了する。
【００６７】
ここでは、制御部２０５は、図８を用いて後述するように、設定変更のための中断指示を受け付けると、実行中の印刷ジョブの実行を中断する。その際、一時中断フラグをＯＮに設定する（図８のＳ８０２）。その結果、制御部２０５は、印刷ジョブが中断される際に、Ｓ７０３で、当該印刷ジョブで使用されていたデバイスの準備動作が実行中であると（Ｓ７０３で「Ｙｅｓ」）、当該準備動作を中断することなく継続するよう、当該デバイスを制御する。即ち、制御部２０５は、印刷ジョブが中断された結果、その印刷ジョブで使用される予定がなくなったデバイスの準備動作を中断することなく継続する（Ｓ７０４で「Ｙｅｓ」）。
【００６８】
（設定変更時の処理）
次に、図８を参照して、実行中の印刷ジョブの設定変更が行われる際に印刷システム１００が実行する制御について説明する。本実施形態では、印刷ジョブ設定変更の一例として、印刷ジョブに含まれるページの編集要求を受け付けた場合について説明する。
【００６９】
Ｓ８０１で、制御部２０５は、操作部２０４を介して、ユーザからのページ編集要求を受け付けたか否かを判定する。ここで、図９は、操作部２０４のジョブ状況画面表示ボタン（「システム状況／中止」ボタン）がユーザによって押下された際にタッチパネル部４０１に表示される、ジョブ状況画面の一例である。制御部２０５は、図９に示すように、ジョブリスト表示領域９０１に、受信済みのジョブの一覧を表示し、受信済みの任意のジョブをユーザが選択できるように表示制御を行う。制御部２０５は、ジョブ状況画面９００において、ユーザによってページ編集ボタン９０２が押下されたことを検知すると、ユーザからページ編集要求を受け付けたと判定し、処理をＳ８０２に進める。本実施形態では、ページ編集要求は、上述の特定の中断指示の一例であり、印刷ジョブの実行が開始された後に、実行中の当該印刷ジョブの設定の変更をユーザから受け付けるために行われる指示に相当する。
【００７０】
Ｓ８０２で、制御部２０５は、ＲＡＭ２０８に保持されている、印刷システム１００がジョブの実行を中断していることを示す一時中断中フラグをＯＮに設定し、処理をＳ８０３に進める。Ｓ８０３で、制御部２０５は、ＲＡＭ２０８に保持されている給紙予約キュー内のページ情報のうちで、ページ編集要求を受け付けたジョブに対応するページ情報を特定する。更に、制御部２０５は、特定したページ情報のうち、ページ編集要求を受け付けたジョブに対応するページ情報を含む、それ以降のページに対応するページ情報を給紙予約キューから削除する。
【００７１】
次に、Ｓ８０４で、制御部２０５は、図１０に例示されるようなページ設定変更の受付画面を操作部２０４のタッチパネル部４０１に表示し、処理をＳ８０５に進める。更に、Ｓ８０５で、制御部２０５は、図７に示す手順に従って給紙準備停止処理を実行し、処理をＳ８０６に進める。
【００７２】
Ｓ８０６で、制御部２０５は、図１０に示す画面で設定ＯＫボタン１００１が押下されたか否かを判定することで、設定変更が完了したか否かを判定する。制御部２０５は、設定ＯＫボタン１００１が押下されたことを検知した場合、設定変更が完了したと判定し、処理をＳ８０９に進める。一方、制御部２０５は、設定ＯＫボタン１００１が押下されず（Ｓ８０６で「Ｎｏ」）、Ｓ８０７で、一定時間が経過したと判定した場合（即ち、設定ＯＫボタン１００１が一定時間押下されていないことを検知した場合）には、処理をＳ８０８に進める。
【００７３】
Ｓ８０８で、制御部２０５は、ＲＡＭ２０８に保持されている一時中断中フラグをＯＦＦに設定し、処理をＳ８０５に戻し、再び図７に示す手順に従って給紙準備停止処理を実行する。このように、制御部２０５は、印刷ジョブの実行を中断してから所定の時間が経過すると、一時中断フラグをＯＦＦに設定することで、実行中の準備動作を中断する（Ｓ７０５）よう、対象となるデバイスを制御する。
【００７４】
一方、Ｓ８０９で、制御部２０５は、設定ＯＫボタン１００１が押下された時点における設定の変更内容を反映させたページ情報（設定情報）を、新たなページ情報として給紙予約キューに保存する。更に、Ｓ８１０で、Ｓ８１０で、制御部２０５は、ＲＡＭ２０８に保持されている一時中断中フラグをＯＦＦに設定し、Ｓ８１１に処理を進める。Ｓ８１１で、制御部２０５は、図６に示す手順に従って給紙処理を実行する。これにより、制御部２０５は、中断していた印刷ジョブの実行を、変更後のページ情報に基づいて再開することになる。
【００７５】
以上説明したように、本実施形態によれば、印刷システム１００は、実行中の印刷ジョブに対するページの設定変更を受け付けたことにより、当該ジョブの実行を中断した場合にも、当該ジョブの実行のための準備動作を中断することがない。このため、印刷システム１００では、印刷ジョブの実行を再開した場合に、給紙準備等の準備動作が継続している状態にあるため、印刷処理の実行を迅速に再開することが可能になる。即ち、実行中の印刷ジョブに対してページの設定変更を受け付けた場合にも、印刷処理の生産性を低下させることなく、ユーザの意図する設定変更を反映させた印刷処理を実行することが可能である。
【００７６】
なお、本実施形態では、ページの設定変更を受け付けた場合を例として用いたが、本実施形態の適用範囲はこれに限られない。例えば、印刷処理の実行中にページを新たに挿入するため、印刷装置１５０の排紙部から印刷処理後のシートを取り出すため、あるいは、大容量スタッカ２００ｂの内部からシートを取り出すために、ジョブの実行が中断される場合にも、本実施形態を適用できる。また、印刷装置１５０における印刷品質の確認のための印刷処理を実行するためにジョブの実行が中断される場合にも、同様に本実施形態を適用できる。
【００７７】
［第２の実施形態］
次に、図１１を参照して、図１〜図４に示す印刷システム１００において実行される、本発明の第２の実施形態に係る処理について説明する。本実施形態では、印刷システム１００（印刷装置１５０）は、ジョブを中断する際に、特定の給紙部で準備動作が実行中である場合、当該準備動作を中断することなく継続するよう、当該準備動作を行っている給紙部を制御する。更に、印刷システム１００は、当該給紙部以外の給紙部についての準備動作を開始するよう、それらの給紙部を制御する。これにより、ページの設定変更により、ジョブで使用される給紙部が他の給紙部に変更された場合にも、ジョブの実行を迅速に再開することが可能になる。
【００７８】
本実施形態では、印刷ジョブの受信時の処理（図５）、給紙処理（図６）、及び設定変更時の処理（図８）については、第１の実施形態と同様であるので説明を省略する。本実施形態では、印刷システム１００は、給紙準備停止処理として、図７に代えて図１１に示す手順に従った処理を実行する。
【００７９】
（給紙準備停止処理）
図１１を参照して、印刷システム１００によって実行される給紙準備停止処理について説明する。まず、Ｓ１１０１〜Ｓ１１０４は、Ｓ７０１〜Ｓ７０４と同様である。Ｓ１１０４で、制御部２０５は、ＲＡＭ２０８に保持されている一時中断中フラグを確認し、一時中断中フラグがＯＮに設定されているか否かを判定する。制御部２０５は、一時中断中フラグがＯＮに設定されていると判定した場合、処理をＳ１１０６に進め、ＯＮに設定されていない（即ち、ＯＦＦに設定されている）と判定した場合、処理をＳ１１０５に進める。Ｓ１１０５で、制御部２０５は、準備動作中のデバイス（給紙部、排紙部及び印刷装置１５０）で行われている準備動作を停止し、処理を終了する。一方、Ｓ１１０６で、制御部２０５は、印刷システム１００が備える全ての給紙部（給紙カセット３１７及び給紙デッキ３１８）の準備動作を開始した後、処理を終了する。
【００８０】
以上説明したように、本実施形態によれば、印刷システム１００は、実行中の印刷ジョブに対するページの設定変更を受け付けたことにより、当該ジョブの実行を中断した場合に、印刷システム１００の全給紙部の準備動作を継続または開始する。これにより、ジョブで使用される給紙部が他の給紙部に変更された場合にも、ジョブの実行を迅速に再開することが可能になる。
【００８１】
［その他の実施形態］
なお、上述した実施形態では、給紙デッキの準備動作として、温度調整を例に挙げて説明したが、給紙デッキの準備動作はこれに限られない。例えば、給紙デッキの準備動作として、用紙の捌き処理が挙げられる。用紙の捌き処理とは、給紙デッキ内の用紙に所定の時間、エアを吹き付けて、用紙同士を分離させる処理である。この処理を行った後、捌かれた用紙のうち、最上部の用紙から順に搬送ベルトに吸着されて給紙される。この用紙の給紙処理の方法は、上記の特許文献２に記載されている。
【００８２】
また、本発明は、以下の処理を実行することによっても実現される。即ち、上述した実施形態の機能を実現するソフトウェア（プログラム）を、ネットワークまたは各種記憶媒体を介してシステム或いは装置に供給する。そして、そのシステム或いは装置のコンピュータ（またはＣＰＵやＭＰＵ等）がそのプログラムを読み出して実行する処理である。
【図１】
2015168059.tif 000003
【図２】
2015168059.tif 000004
【図３】
2015168059.tif 000005
【図４】
2015168059.tif 000006
【図５】
2015168059.tif 000007
【図６】
2015168059.tif 000008
【図７】
2015168059.tif 000009
【図８】
2015168059.tif 000010
【図９】
2015168059.tif 000011
【図１０】
2015168059.tif 000012
【図１１】
2015168059.tif 000013